(57)【要約】【課題】撮影機能を有する情報処理端末において、撮影時の操作性を向上すると共に、デザイン性を確保し、低コストで提供する【解決手段】ヒンジ部を介して相互に可動する、一対の筐体を備え、一方の筐体が、周囲の画像を取得するカメラ部と、このカメラ部が取得した画像の再生を行うディスプレイと、を備えた撮影機器であって、一方の筐体は、ディスプレイが配設している面の、反対側の面に前記カメラ部を備え、さらに、カメラ部は、一対の筐体の可動に伴い、カメラ部の位置を可動するカメラ部可動手段を備える。【選択図】図１
2009130656.tif 000002
【特許請求の範囲】
【請求項１】
相互に可動する一対の筐体を備え、一方の筐体が、周囲の画像を取得するカメラ部と、このカメラ部が取得した画像の再生を行うディスプレイと、を備えた撮影機器であって、
前記一方の筐体は、前記ディスプレイが設けられている面の反対側の面に前記カメラ部を備え、
前記一対の筐体の可動に伴い、前記カメラ部の位置を可動するカメラ部可動手段を備えた、
ことを特徴とする情報処理端末。
【請求項２】
前記カメラ部可動手段は、前記カメラ部を前記ディスプレイの中心に位置するよう可動する、
ことを特徴とする請求項１記載の情報処理端末。
【請求項３】
前記カメラ部可動手段は、前記カメラ部を、前記ディスプレイの表示面に対して垂直な方向と、前記カメラ部の光軸とが一致するよう可動する、
ことを特徴とする請求項１及び２記載の情報処理端末
【請求項４】
前記カメラ部可動手段は、前記一対の筐体が撮影状態となるよう可動したときに、前記カメラ部を可動する、
ことを特徴とする請求項１，２又は３記載の情報処理端末。
【請求項５】
前記一対の筐体は、前記相互に開閉自在に係合された折り畳み式の筐体であって、前記カメラ部可動手段は前記折り畳み式の筐体が開いたときにカメラ部を可動する、
ことを特徴とする請求項４記載の情報処理端末。
【請求項６】
前記カメラ部可動手段は、前記筐体の開閉に伴って伸縮し、所定の箇所に前記カメラ部が係合したバネ部材を備えた、
ことを特徴とする請求項５記載の情報処理端末。
【請求項７】
前記カメラ部可動手段は、他端側が固定されたバネ部材の一端に連結し、前記一対の筐体の可動に伴って連結部の位置が可動するワイヤを備えた、
ことを特徴とする請求項６至記載の情報処理端末。
【請求項８】
前記一対の筐体は、前記ディスプレイが設けられている面の反対の面に備えた前記カメラ部に連結する第２のディスプレイを備え、
前記カメラ部可動手段は、前記カメラ部と、前記第２のディスプレイとを可動する、
ことを特徴とする請求項１乃至８記載の情報処理端末。
【請求項９】
携帯電話であることを特徴とする請求項１乃８至記載の情報処理端末。
【発明の詳細な説明】
【技術分野】
【０００１】
本発明は撮影機器にかかり、特にカメラ部の位置が可動する撮影機器に関する。
【背景技術】
【０００２】
近年、カメラ自体や携帯電話に搭載された撮影機器の小型化、軽量化が進んでいる。また、カメラ自体や撮影機器が搭載された携帯電話のデザイン性も重要な要素となっている。しかし、撮影機器の小型化、軽量化及び、デザインを重視するあまり、撮影機器自体の操作性が低下するという問題点もある。例えば、周囲の画像を確認するディスプレイと、周囲の画像を取得するカメラ部とを、直線上に配置することが、好ましい。この配置はカメラ部の取得する撮影対象が、光軸上において操作者の視線と一致する。したがって、撮影者が撮影したい撮影対象と、カメラ部が取得している撮影対象とが一致するため、撮影が容易になる。それにもかかわらず、撮影機器のデザインを重視する傾向から、ディスプレイと、カメラ部とが、光軸上直線に配置していない。
【０００３】
また、カメラ撮影機器の小型化、軽量化に伴い、不正な撮影、つまり盗撮行為も増加していることも問題となっている。これに対して、撮影行為を行わない場合には周囲の画像を取得するカメラ部にカバーをする技術が開発されている。また、そのカバーは、カメラ部を衝撃から守り保護するという役割を果たす。そして、下記特許文献１は、カメラ部を保護するカメラカバーを折り畳み式カメラ付き携帯電話機の開閉動作に伴い、カメラカバーを開閉する技術を開示している。
【０００４】
【特許文献１】特開２００４−２２１７５５号公報
【発明の開示】
【発明が解決しようとする課題】
【０００５】
しかしながら、上記特許文献１に開示の技術は、折り畳み式カメラ付き携帯電話機の開閉動作に連動してカメラカバーを開閉する為、細々とした部品を複数要し、構成が複雑になっている。このことから、製造工程が複雑となり、コストが増大となる。また、撮影画像を確認するディスプレイと、周囲の画像を取得するカメラ部とが、直線上となるように配置していない。この結果、カメラ部が取得した撮影対象が光軸上操作者の視線と一致しない。したがって、操作者が撮影したい撮影対象と、カメラ部が取得する撮影対象にずれが生じるため撮影が困難となる。この結果、デザイン性は確保出来るが、撮影時の操作性が低下する原因となる。
【０００６】
このため、本発明の目的は、上述した課題であるデザイン性及び、撮影機器の操作性を同時に確保すると共に、低コストで撮影機器を提供する、ことにある。
【課題を解決するための手段】
【０００７】
本発明の一形態である情報処理端末は、
ヒンジ部を介して相互に可動する、一対の筐体を備え、一方の筐体が、周囲の画像を取得するカメラ部と、このカメラ部が取得した画像の再生を行うディスプレイと、を備えた撮影機器であって、
上記一方の筐体は、ディスプレイが配設している面の、反対側の面にカメラ部を備え、
さらに、カメラ部は、一対の筐体の可動に伴い、カメラ部の位置を可動するカメラ部可動手段を備えた、構成を採っている。
【発明の効果】
【０００８】
本発明は以上のように構成されているため、撮影時にカメラ部の位置を可動でき、操作性及びデザイン性の向上を図るという従来に無い優れた効果を有する。
【発明を実施するための最良の形態】
【０００９】
本発明の一形態である情報処理端末は、相互に可動する一対の筐体を備え、一方の筐体が、周囲の画像を取得するカメラ部と、このカメラ部が取得した画像の再生を行うディスプレイと、を備えた撮影機器であって、
一方の筐体は、ディスプレイが設けられている面の反対側の面にカメラ部を備え、さらに、カメラ部は、一対の筐体の可動に伴い、カメラ部の位置を可動するカメラ部可動手段を備える、という構成をとっている。
【００１０】
上記発明によると、上記一対の筐体の可動に伴い、カメラ部可動手段はカメラ部を可動する。例えば、カメラ部可動手段は、撮影を行う際に当該一対の筐体における開閉動作に伴いカメラ部を可動させる。また、カメラ部可動手段は、ディスプレイが設けられている面の反対の面において、カメラ部を可動する。このことから、一対の筐体が使用時である場合にのみ、カメラ部を撮影可能な位置に可動することが出来る。一方、一対の筐体が不使用時である場合において、カメラ部は使用時におけるカメラ部の位置と異なる。この為、カメラ部は一対の筐体が閉じた状態の場合には撮影可能な位置にない。したがって、操作性とデザイン性が向上する。
【００１１】
さらに上記構成に加えカメラ部可動手段は、カメラ部をディスプレイの中心に位置するよう可動する。そして、このディスプレイの表示面に対して垂直な方向と、前記カメラ部の光軸とが一致するよう可動する、という構成を採っている。
【００１２】
上記発明により、カメラ部を、上記ディスプレイの中心に可動することより、ディスプレイの中心と撮影画像の中心とを一致させることが出来る。さらに、ディスプレイの垂直方向とカメラ部の光軸と一致するように可動することで、ディスプレイ表示面を視認している操作者の視線と、撮影対象までのカメラ部の光軸とが一致する。つまり、操作者の撮影したい撮影対象と、カメラ部が取得する撮影対象とが一致する。また、上記一対の筐体を使用しない場合に、カメラ部はディスプレイの中心に位置しない。この結果、操作者は撮影画像を容易に認識することが可能となり操作性が向上すると共に、デザイン性も向上する。
【００１３】
さらに上記構成に加えカメラ部可動手段は、一対の筐体が撮影状態となるよう可動したときに、カメラ部を可動する、という構成を採っている。
【００１４】
上記発明によると、カメラ部可動手段は、撮影状態となるタイミングでカメラ部をディスプレイの中心でこのディスプレイの垂直方向と、カメラ部の光軸とが一致する位置に可動する。例えば、撮影状態となる一対の筐体の可動とは、ヒンジ部を介して相互に開閉が自由な一対の筐体を、使用の際に一対の筐体を開く可動とする。したがって、操作時にカメラ部は移動し容易に撮影をすることが出来る。
【００１５】
さらに上記構成に加え上記一対の筐体は、相互に開閉自在に係合された折り畳み式の筐体であって、カメラ部可動手段は折り畳み式の筐体が開いたときにカメラ部を可動する、という構成を採っている。
【００１６】
上記発明によると、カメラ部可動手段は、折り畳み式の筐体を使用する場合にカメラ部を上述した位置に可動する。この為、上記折り畳み式の筐体が開くときは、当該折り畳み式の筐体を使用する場合である。一方、折り畳み式の筐体が不使用である場合には、カメラ部は可動しないためディスプレイの中心に位置ない。このことから、筐体を閉じた不使用の場合にはデザイン性が向上する。また、使用時にカメラ部を上述した所定の位置に可動させ撮影を行うことが出来る。
【００１７】
さらに上記構成に加え、カメラ部可動手段は、筐体の開閉に伴って伸縮し、所定の箇所にカメラ部が係合したバネ部材と、このバネ部材の一端に連結し、一対の筐体の可動に伴って連結部の位置が可動するワイヤを備えた、という構成をとっている。
【００１８】
上記構成により、開閉動作によるバネ部材の伸縮に伴い、当該バネ部材のカメラ部が係合している箇所が移動する。例えば、ワイヤを用いて開閉動作に伴って、バネ部材を伸縮させる。これに伴い、バネ部材とカメラ部とが係合している係合箇所が移動することにより、カメラ部は可動する。このことから、カメラ部を可動するには、上記伸縮するバネ部材と、バネ部材を伸縮させるワイヤがあれば足りる。つまり、細々とした部品を複数使用せずカメラ部を可動することが出来る。したがって、部品数の削減が可能となり低コストで本発明を提供することが出来る。
【００１９】
さらに上記構成に加え一対の筐体は、ディスプレイが設けられている面の反対の面に備えたカメラ部に連結する第２のディスプレイを備え、上記カメラ部可動手段は、カメラ部と、第２のディスプレイとを可動する、という構成を採っている。
【００２０】
上記第２のディスプレイは、カメラ部可動手段によって可動するカメラ部と連結することによりディスプレイ１が設けられている面の反対の面を可動する。例えば、第２のディスプレイは、折り畳み式の筐体が閉じた状態では、上記ディスプレイ１に対して中心で表示面の垂直方向に位置する。すると、操作者は、折り畳み式の筐体が閉じた状態では、第２のディスプレイはディスプレイの中心に位置する。一方、開いた状態の場合にはカメラ部可動手段により上記カメラ部と共に可動し、ディスプレイの中心から移動する。この結果、筐体のデザイン性が向上する。
【００２１】
また、本発明である情報処理端末は、カメラ付き携帯電話機に適用することが出来る。
【００２２】
上記発明によると、携帯電話に適用することが出来ることにより、幅広い用途が可能である。
【００２３】
以下本発明の具体的な構成及び動作を、実施形態にて説明する。本発明における実施形態１では、折り畳み式カメラ付き携帯電話機を例示して説明する。しかし、本発明は折り畳み式カメラ付き携帯電話機に限定されない。例えば、PDＡや、電子手帳や、ポータブルゲーム機であってもよく、いかなる情報処理端末でも良い。また、情報処理端末自体の可動は、折り畳み式に限定されない。例えば、スライド式や、一対の筐体がＴ字型に変形する可動など、いかなる可動でもよい。
【００２４】
＜実施形態１＞
本発明実施形態を図１乃至７を参照して説明する。図１及び図４は、折り畳み式カメラ付き携帯電話の外観構成を示す概略図である。図２及び図３は、折り畳み式カメラ付き携帯電話機を操作し撮影する時の操作者の視線と、カメラ部３の光軸との関係を示す図である。図５は、第２のディスプレイとカメラ部の可動の動作を示す図である。図６及び図７は、ヒンジ部を介して係合された折り畳み式の筐体の開閉動作を説明する図である。
【００２５】
［構成］
図１は、ヒンジ部６を介して相互に開閉自由に係合した折り畳み式カメラ付き携帯電話１９の外観構成を示している。当該折り畳み式カメラ付き携帯電話１９は、上側の筐体と下側の筐体とがヒンジ部を介し相互に開閉自由に係合している。また、本発明の実施形態において上側の筐体を筐体Ｒ１３と、一方、下側の筐体を筐体Ｍ１４と以下記載する。この折り畳み式カメラ付き携帯電話の筐体Ｒ１３は、ディスプレイ１を備える。また、筐体Ｒ１３の内部にはカメラ部３と、後述する第２のディスプレイとを備える。そして、この表面を覆うよう開口部が形成している筐体を設ける。この開口部を窓部４とする。また、下側の筐体は操作キー２を備えている。
【００２６】
上記カメラ部３は、周囲の画像を取得するカメラセンサである。例えば、ＣＣＤやＣＭＯＳなどのイメージセンサである。本発明の実施形態１では、カメラ部３は、筐体Ｒ１３内に設けられている。
【００２７】
この為、上記カメラ部３は、筐体内から筐体外の画像を取得するための窓部４が必要となる。上記窓部４についての詳細は後述する。また、後述するように、本発明の実施形態１における折り畳み式カメラ付き携帯電話１９は、窓部４と同じ大きさの第２のディスプレイ５も筐体Ｒ１３内に備える。
【００２８】
そして、操作キー２は、当該折り畳み式カメラ付き携帯電話１９に対して情報を入力する操作装置である。例えば、操作者は、当該折り畳み式カメラ付き携帯電話１９で撮影を行う際にシャッターボタンとして操作キー２を押下して操作する。
【００２９】
また、上記ディスプレイ１は、折り畳み式カメラ付き携帯電話１９を折り畳む動作の際
に、内側にくるよう設けられている。そして、ディスプレイ１は、上記カメラ部３が取得した画像の再生を行う。例えば、ディスプレイ１は、撮影前に取得している画像を一定の時間間隔で表示する。
【００３０】
一方、上記カメラ部３は、このディスプレイ１が設けられている面の反対の面に設けられている。つまり、折り畳む際に筐体Ｒ１３の外側にくるようにカメラ部３は設けられている。さらに、当該カメラ部３は、上記ディスプレイの中心であり、ディスプレイ１の垂直方向と、カメラ部３の光軸が一致する位置に可動するよう設けられている。
【００３１】
このことから、上記窓部４は、カメラ部３が可動する位置に設けられており、カメラ部３が撮影を行うことが可能な位置にある。つまり、窓部４は、ディスプレイ１が設けられている面の反対の面であって、ディスプレイ１の中心に位置するように形成している。また、窓部４は後述する第２のディスプレイ５と同じ大きさの筐体Ｒ１３に形成した開口部である。そして、この開口部にガラス等を設けるという構成を採ってもよい。以下、この筐体Ｒ１３に形成している開口部を窓部４と記載する。
【００３２】
また、上記カメラ部３を可動する手段を、カメラ部可動手段とし、以下カメラ部可動手段と記載する。このカメラ部可動手段は、折り畳み式カメラ付き携帯電話１９の開閉動作に伴い、上記カメラ部３を可動する。
【００３３】
次に、折り畳み式カメラ付き携帯電話１９による撮影時の操作者の視線１０と、カメラ部３の光軸１１との関係を、図２及び図３を用いて説明する。図２は、操作者の視線１０とカメラ部３の光軸１１とが一致しない場合を示してある。一方図３は、操作者の視線１０とカメラ部の光軸１１とが一致する場合を示している。
【００３４】
まず、図２において操作者の視線１０がカメラ部３の光軸１１と一致しない場合の操作性を説明する。図示するようにカメラ部３は、ディスプレイ１表示面の中心に位置していない。これは、撮影画像を確認するディスプレイ１と、周囲の画像を取得するカメラ部３とが、光軸上となるように配置していない。この結果、操作者の視線が、カメラ部３の光軸上に無い。したがって、操作者が撮影したい撮影対象と、カメラ部が取得する撮影対象１３にずれが生じるため撮影が困難となる。特に、カメラ部３と撮影対象１３の距離が短いほど、撮影操作はより困難となる。
【００３５】
一方、図３に示すように、カメラ部３は、ディスプレイ１の表示面の中心に位置する場合には、操作者の視線１０と、カメラ部３の光軸１１とが一致する。この結果、操作者が取得したい撮影対象１３と、カメラ部３が取得する撮影対象１３が一致する。したがって、折り畳み式カメラ付き携帯電話１９における撮影の操作性が向上する。また、カメラ部３と撮影対象１３との距離が短い場合であっても、この操作性が低下することは無い。
【００３６】
しかしながら、図３に示すようにカメラ部３を常にディスプレイ１の表示面の中心に配設することは、折り畳み式カメラ付き携帯電話１９のデザイン性を低下させることとなる。そこで、当該実施形態では図４に示すように、折り畳み式カメラ付き携帯電話１９のデザイン性の低下を防ぐ為、上述したカメラ部可動手段にてカメラ部３の位置を可動することとしている。
【００３７】
さらに、この図４に示すように上記第２のディスプレイ５は、ディスプレイ１が設けられている面の反対の面に設けられており、筐体Ｒ１３内に設けられている。また、第２のディスプレイ５は、窓部４の大きさと一致する。この第２のディスプレイ５は、カメラ部３と同様にカメラ部可動手段によって可動する。さらに、この第２のディスプレイ５はカメラ部３と連結している。例えば、同じ可動式のテーブル２２（図５参照）に、この第２のディスプレイ５とカメラ部３とを配設することで、連結してもよい。そして、第２のディスプレイとカメラ部３とを連結することで、カメラ部可動手段により、カメラ部３と共に第２のディスプレイ５も可動する。
【００３８】
また、第２のディスプレイ５は、折り畳み式カメラ付き携帯電話１９を使用しない場合、上記ディスプレイ１の中心に位置するように設けられている。このとき、カメラ部３は図４の閉状態において示すように第２のディスプレイ５の下に位置し、窓部４には現れない。
【００３９】
一方、カメラ部可動手段にて可動する際は、図４の開状態が示すようにカメラ部３が窓部４に現れる。上記テーブル２２に配設することで、カメラ部３が窓部４に現れる際に、第２のディスプレイは閉状態の位置から移動し、窓部４に現れずカメラ部３の上に位置する。
【００４０】
次に、カメラ部可動手段の構成について図５乃至７を用いて説明する。図５が示すように当該筐体Ｒ１３は、バネ部材７と、ワイヤ８と、レール部９とを備える。さらに、上述したように、カメラ部３及び、第２のディスプレイ５は連結してある。例えば、可動式のテーブル２２にカメラ部３及び第２のディスプレイが配設されている。
【００４１】
上記バネ部材７は、一端は上側の筐体である筐体Ｒ１３の上端付近に固定しており、他端は上記ワイヤ８に連結している。また、バネ部材７の他端付近に、連結してあるカメラ部３と第２のディスプレイ５とが係合している。つまり、バネ部材７の他端付近に可動式のテーブル２２と係合している。後述するように、バネ部材７は、ワイヤ８との連結部がワイヤ８により引っ張られることによって伸長する。そして、このバネ部材７の伸長に伴って上記テーブル２２との係合箇所が移動する。これに伴い、テーブル２２に配設しているカメラ部３及び第２のディスプレイ５が可動する。
【００４２】
次に、上記ワイヤ８は、前述したようにバネ部材７の一端に連結する。また、ワイヤ８の他端は、上記筐体Ｍ１４の一部である点Ａ１６と係合する。そして、上述したワイヤ８はヒンジ部６の外周に巻きつきて設けられる。このワイヤ８は、折り畳み式カメラ付き携帯電話１９の開閉動作に伴う上記筐体に挟まれたヒンジ部６の外周の変化に伴い、他端点Ａ１６の位置が変わる。これに伴い、ヒンジ部６に巻きつきワイヤ８の量が変化する。
【００４３】
例えば、折り畳み式カメラ付き携帯電話１９を開くことにより、両筐体間に挟まれたヒンジ部６の外周が短くなる。このとき、ヒンジ部６に巻きつくワイヤ８の距離が短くなる。すると、ワイヤ８と連結する上記バネ部材７が、短くなった為生じた余分となったワイヤ８を連結部において引っ張る。これにより、バネ部材７は筐体Ｒ１３の上端側へ縮み、これに伴いバネ部材７に係合しているテーブル２２が筐体Ｒ１３の上端側へ移動する。つまり、テーブルに配設しているカメラ部３及び第２のディスプレイが筐体Ｒ１３の上端側へ移動する。
【００４４】
一方、図５において示されるように、折り畳み式カメラ付き携帯電話１９が閉じた状態では、上記両筐体に挟まれたヒンジ部６の外周が長くなる。このとき、ヒンジ部６にワイヤ８が巻きつく距離が増える。これにより、ワイヤ８が、ワイヤ８とバネ部材７との連結点を引っ張ることで、バネ部材７は下端側へ伸びる。このバネ部材７が伸びることにより、上記係合したテーブル２２の係合点も下端側へ移動する。つまり、テーブル２２に配設したカメラ部３と第２のディスプレイとが筐体Ｒ１３の下端側へ移動する。また、上記折り畳み式カメラ付き携帯電話１９の開閉動作に伴うヒンジ部６の外周の変化の詳細について後述する。
【００４５】
また、図示してはいないが、上記カメラ部３と第２のディスプレイ５とを配設しているテーブル２２は突起を有する。また、上記レール部９は、上記テーブル２２の突起と嵌合するレール溝を有する。したがって、上述したバネ部材７の伸縮による可動の際には、上記テーブル２２がレール部９のレール溝に沿って移動する。
【００４６】
次に、折り畳み式カメラ付き携帯電話１９の開閉動作に伴う、ワイヤ８の動作を図６及び、図７を示して説明する。前述したように、実際にワイヤー８はヒンジ部６に巻きついているが、ヒンジ部６の外周の長さの変化を外周上の点Ａ´１８、点Ｏ２１、及び点Ｂ´１７用いて説明する。つまり、ヒンジ部６の外周の長さを、点Ａ´１８から点Ｏ２１の間と点Ｂ´１７から点Ｏ２１の間に置き換えて近似的に以下説明する。また、この点Ａ´１８は、筐体Ｍ１４がヒンジ部６の外周に接する点とし、一方点Ｂ´１７は、筐体Ｒ１３がヒンジ部６の外周に接する点とする。また、点Ｏ２１はヒンジ部６の外周上の点とする。
【００４７】
まず、図６は折り畳み式カメラ付き携帯電話１９が閉じている状態を示している。上述したようにバネ部材７の一端とワイヤ８は連結している。そして、このバネ部材７は筐体Ｒ１３の上端付近と係合し、この係合点を点Ｂ１５とする。また、このバネ部材７の一端に連結したワイヤ８の他端は、筐体Ｍ１４の一部と係合し、この係合点を点Ａ１６とする。そして、ワイヤ８はヒンジ部６の外周上の点B´１７、Ｏ２１、及びＡ´１８を通る。
【００４８】
一方、図７は折り畳み式カメラ付き携帯電話１９が開いている状態を示している。このとき、ワイヤ８とバネ部材７は上記閉じている場合と同様の各点と係合又は接している。つまり、バネ部材７は筐体Ｒ１３の上端付近にて点Ｂ１５と係合し、このバネ部材７の一端に連結したワイヤ８の他端は、筐体Ｍ１４の一部である点Ａ１６と係合する。そして、ワイヤ８はヒンジ部６の外周上の点B´１７、Ｏ２１、及びＡ´１８を通る。
【００４９】
しかし、ヒンジ部６を介して両筐体を開く動作に伴い、点Ｂ´１７と点Ａ´１８との距離が短くなる。つまり、ヒンジ部６の弧Ａ´B´の長さが短くなる。このことから、ワイヤ８の他端が係合した、点Ａの位置が変わる。これは、ヒンジ部６を介して筐体Ｒ１３と筐体Ｍ１４とが開く角度と、ヒンジ部の直径とに関係する。
【００５０】
ここで、上記筐体Ｒ１３と筐体Ｍ１４とが開く角度と、ヒンジ部の直径との関係を具体的に説明する。例えば、ヒンジ部６が直径１０ｍｍであり、このヒンジ部６を介し１７０°まで開く折り畳み式カメラ付き携帯電話１９とする。また、図７における点Ｂ´１７と、図示していないヒンジ部６の直径の中心と、点Ａ´１８との角度は１８０°とする。このときの点Ｂ´１７から点Ｏ２１を通り点Ａ´１８までの弧の長さは、１５．７ｍｍである。
【００５１】
次に、図８においてヒンジ部６を介して１７０°開く場合、点Ｂ´１７と、図示していないヒンジ部６の直径の中心と、点Ａ´１８との角度は１０°である。このときの点Ｂ´１７から点Ｏ２１を通り点Ａ´１８までの弧の長さは、０．８ｍｍである。このことから、折り畳み式カメラ付き携帯電話１９を開くことにより、点Ｂ´１７から点Ｏ２１を通り点Ａ´１８までの弧の長さは１４．８ｍｍ短くなる。
【００５２】
したがって、１４．８ｍｍの長さの分ワイヤ８は、バネ部材７を引っ張っていたが、この分の長さが余分となり、バネ部材７によって引っ張られ吸収される。これによって、この長さだけワイヤ８とばね部材７の連結部が上端側に移動する。また、逆に折り畳み式カメラ付き携帯電話１９を閉じる動作では、１４．８ｍｍ分ワイヤ８がヒンジ部６に巻きつく距離が増えることから、バネ部材７との連結部を下端側に引っ張る。これに伴い、上記プレート２２とバネ部材７とが係合することで、折り畳み式カメラ付き携帯電話１９の開閉動作に伴いバネ部材７の伸縮を利用し可動することが出来る。つまり、上記カメラ部３と第２のディスプレイ５は上記のプレート２２に配設することにより、可動することが可能である。
【００５３】
以上により、第２のディスプレイ５は、折り畳み式カメラ付き携帯電話１９が閉じた状態ではディスプレイ１の中心に位置する。しかし、カメラ部３と連結している為、使用時にはカメラ部３と共に可動し、この位置から移動する。また、撮影者がカメラ部３で撮影を行うべく、折り畳み式カメラ付き携帯電話１９を開くと、上述したようにカメラ部３の位置がディスプレイ１の中心に移動する。例えば、操作者がカメラ部３で撮影を行う場合である。この使用時にカメラ部３は、カメラ部可動手段によりディスプレイ１の中心であり、表示面の垂直方向と、光軸とが一致する箇所に可動する。
【００５４】
この結果、折り畳み式カメラ付き携帯電話１９を使用しない場合は、第２のディスプレイ５がディスプレイ１の中心に来る。また、カメラ部３は、折り畳み式カメラ付き携帯電話１９を使用する際に、カメラ部可動手段によって上記第２のディスプレイ５が位置していたディスプレイ１の中心に可動する。このことから、折り畳み式カメラ付き携帯電話１９の操作性が向上すると共に、デザイン性も確保することが可能である。
【００５５】
また、カメラ可動手段により可動するカメラ部３及び、第２のディスプレイ５が、連結することに限られない。例えば、図８に示すような折り畳み式カメラ付き携帯電話２０であってもよい。ここで、図８の折り畳み式カメラ付き携帯電話２０の構成を説明する。なお、上述した実施形態１と同じ構成には、同じ参照符号を付すこととする。また、当該図８は折り畳み式カメラ付き携帯電話２０の筐体内部の構成を示している。
【００５６】
この折り畳み式カメラ付き携帯電話２０は、本発明実施形態１と同様、筐体Ｒ１３に図示してはいないがディスプレイ１（図８の裏面）を備える。そして、筐体Ｒ１３内部は、このディスプレイ１を設けている面の反対の面に、カメラ部３と、第２のディスプレイ５とを備える。この表面を覆うよう、開口部が形成されている筐体を設ける。上述したようにこの開口部は、第２のディスプレイ５の大きさと一致するように形成する。この開口部を上述した本発明実施形態同様、窓部４と記載する。
【００５７】
このカメラ部３は、上記実施形態１と同様に、ディスプレイ１の中心で表示面の垂直方向と光軸とが一致する位置に配設している。これに伴い、上記窓部４も同様の位置に形成している。この為、カメラ部３を常に筐体Ｒ１３の中心に位置することとなる。
【００５８】
ここで、上記実施形態１と異なる点は、カメラ部可動手段によって可動するのは、上記第２のディスプレイ５のみである。本発明実施形態１において記載したカメラ部可動手段を用いて、折り畳み式カメラ付き携帯電話２０の開閉動作に伴い第２のディスプレイ５を可動する。折り畳み式カメラ付き携帯電話２０が不使用である閉じた状態において第２のディスプレイ５は、上記カメラ部３が配設されている箇所に位置する。つまり、ディスプレイ１の中心であって、上述した窓部４から筐体Ｒ１３の表面に現れる位置である。したがって、第２のディスプレイ５は、カメラ部３を覆うこととなる。
【００５９】
そして、上記折り畳み式カメラ付き携帯電話２０を使用し撮影を行う際に、折り畳み式カメラ付き携帯電話２０を開く動作に伴い、カメラ部可動手段は第２のディスプレイ５を可動する。このとき、第２のディスプレイ５は、可動することによりカメラ部３を覆う位置から移動するため、カメラ部３が露出し撮影を行うことが可能となる。
【００６０】
したがって、折り畳み式カメラ付き携帯電話２０が閉じている場合には、筐体Ｒ１３の窓部４に第２のディスプレイ５が現れる。一方、撮影時には、カメラ部３が筐体Ｒ１３の窓部４に現れる。このことより、折り畳み式カメラ付き携帯電話２０の撮影時の操作性が向上し、かつデザイン性が確保できる。
【００６１】
また、図示してはいないが上記図９とは逆の構成を採ってもよい。それは、第２のディスプレイ５を配設してあり、その上をカメラ部可動手段にてカメラ部３が可動する構成である。これによると、撮影時にカメラ部３が本発明実施例１で上述した位置に可動し、不使用時にはこの場所から移動する為、配設している第２のディスプレイ５が現れる。また、さらに、カメラ部可動手段にて可動するカメラ部３を備えるだけの構成としてもよい。
【００６２】
いずれにしても、撮影時にカメラ部３がディスプレイ１の中心に対して垂直方向と、光軸とが一致する位置に可動する。そして、折り畳み式カメラ付き携帯電話を使用しない場合には、ディスプレイ１の中心に位置しない場所に位置する。このとから、撮影を行う際の操作性が向上すると共に、カメラ付き携帯電話のデザイン性も確保することが可能である。
【００６３】
なお、本発明は上述した実施形態である折り畳み式カメラ付き携帯電話に限られない。例えば、ＰＤＡや、ポータブルゲーム機であってもよい。また、ヒンジ部を介して相互自在に動作する一対の筐体の可動は、折り畳み式に限られない。例えば、スライド式や、一対の筐体がＴ字に変形する可動などでもよい。
【産業上の利用可能性】
【００６４】
本発明は、折り畳み式カメラ付き携帯電話に限られず、ヒンジ部を介して相互自在に可動するＰＤＡや、電子手帳や、ポータブルゲーム機など、いかなる情報処理端末として利用することが可能である。このことから、産業上の利用可能性を有する。
【図面の簡単な説明】
【００６５】
【図１】折り畳み式カメラ付き携帯電話の外観構成を示す概略図
【図２】操作者の視線とカメラ部の光軸との関係を示す図
【図３】操作者の視線とカメラ部の光軸との関係を示す図
【図４】折り畳み式カメラ付き携帯電話の開閉時における外観構成を示す概略図
【図５】折り畳み式カメラ付き携帯電話の上側筐体の内部構成を示す概略図
【図６】折り畳み式カメラ付き携帯電話の閉動作を示す図
【図７】折り畳み式カメラ付き携帯電話の開動作を示す図
【図８】折り畳み式カメラ付き携帯電話の上側筐体の内部構成を示す概略図
【符号の説明】
【００６６】
１  ディスプレイ
２  操作キー
３  カメラ部
４  窓部
５  ディスプレイ
６  ヒンジ部
７  バネ部材
８  ワイヤ
９  レール部
１０  視線
１１  光軸
１２  撮影対象
１３  筐体Ｒ
１４  筐体Ｍ
１５  点Ｂ
１６  点Ａ
１７  点Ｂ´
１８  点Ａ´
１９  折り畳み式カメラ付き携帯電話
２０  折り畳み式カメラ付き携帯電話
２１  点Ｏ
２２  テーブル
【図１】
2009130656.tif 000003
【図２】
2009130656.tif 000004
【図３】
2009130656.tif 000005
【図４】
2009130656.tif 000006
【図５】
2009130656.tif 000007
【図６】
2009130656.tif 000008
【図７】
2009130656.tif 000009
【図８】
2009130656.tif 000010